(57)【要約】【課題】  本発明は長さが調節可能な、連結アセンブリを備えるケーブル管理装置を提供すること。【解決手段】  連結アセンブリはスライドレールアセンブリ及びケーブル管理装置を含む。スライドレールアセンブリは第１のレール及び第２のレールを含む。第１のレールは第２のレールに対して変位可能である。ケーブル管理装置は第１のケーブル管理アーム、第２のケーブル管理アーム、部材及び接続部材を含む。第２のケーブル管理アームは第１のケーブル管理アームに対して枢結される。部材は第１のケーブル管理アームに対して枢結される。接続部材は部材に対して変位可能である。第２のケーブル管理アームは第２のレールに接続されるように構成される。第１のケーブル管理アームは第１の接続部材を用いて第１のレールに接続される。【選択図】  図４
2019091876.tif 000002
【特許請求の範囲】
【請求項１】
第１のレール及び第２のレールを含むスライドレールアセンブリであって、該第１のレールは該第２のレールに対して変位可能である、スライドレールアセンブリと、
第１のケーブル管理アーム、該第１のケーブル管理アームに対して枢結される第２のケーブル管理アーム、該第１のケーブル管理アームに対して枢結される第１の部材及び伸縮可能に該第１の部材に接続される第１の接続部材を含むケーブル管理装置と、
を含む連結アセンブリであって、
前記第２のケーブル管理アームは前記第２のレールに接続され、
前記第１のケーブル管理アームは前記第１の接続部材を通じて前記第１のレールに接続される、連結アセンブリ。
【請求項２】
前記ケーブル管理装置は第１の延長部材、第２の部材、第２の接続部材及び第２の延長部材を含み、該第１の延長部材は前記第１のケーブル管理アームと前記第１の部材との間で枢結され、前記第２の部材は前記第２のケーブル管理アームに対して枢結され、前記第２の接続部材は前記第２の部材に伸縮可能に接続され、前記第２の延長部材は前記第２のケーブル管理アームと前記第２の部材との間で枢動し、前記第２のケーブル管理アームは前記第２の接続部材を通じて前記第２のレールに接続される、請求項１に記載の連結アセンブリ。
【請求項３】
前記ケーブル管理装置は支持部材、取り付けベース、第３の接続部材及び別のスライドレールアセンブリをさらに含み、
前記支持部材は前記第１のケーブル管理アーム及び前記第２のケーブル管理アームのうちの一方を支持するように構成され、前記取り付けベースは前記支持部材上に配置され、前記第３の接続部材は伸縮可能に前記取り付けベースに接続され、前記別のスライドレールアセンブリは第３のレール及び第４のレールを含み、該第３のレールは該第４のレールに対して変位可能であり、該第３の接続部材は該第４のレールに接続される、請求項１に記載の連結アセンブリ。
【請求項４】
第１のケーブル管理アームと、
前記第１のケーブル管理アームに対して可動な第２のケーブル管理アームと、
前記第１のケーブル管理アームに対して枢結される第１の部材と、
前記第１の部材に伸縮可能に接続される第１の接続部材と、
を含むケーブル管理装置。
【請求項５】
第１の延長部材と前記第１の部材によって定義される通路をさらに含み、
前記第１の延長部材は前記第１のケーブル管理アームと前記第１の部材との間で枢結され、前記通路は前記第１の接続部材を収容するように構成され、前記第１の接続部材は第１の部分を有し、前記第１の部材は対応部分を有し、該第１の部分は該対応部分と協働して前記第１の接続部材が限られた範囲内で変位できるようにする、請求項４に記載のケーブル管理装置。
【請求項６】
第２の部材、第２の接続部材及び第２の延長部材をさらに含み、
前記第２の部材は前記第２のケーブル管理アームに対して枢結され、前記第２の接続部材は伸縮可能に前記第２の部材に接続され、前記第２の延長部材は前記第２のケーブル管理アームと前記第２の部材との間で枢結され、前記第１のケーブル管理アーム及び前記第２のケーブル管理アームのうちの一方はケーブル保持部を有し、前記第１のケーブル管理アームと前記第２のケーブル管理アームとは互いに対して枢動する、請求項４に記載のケーブル管理装置。
【請求項７】
支持部材、取り付けベース及び第３の接続部材をさらに含み、
前記支持部材は前記第１のケーブル管理アーム及び前記第２のケーブル管理アームのうちの一方を支持するように構成され、前記取り付けベースは前記支持部材上に配置され、前記第３の接続部材は前記取り付けベースに伸縮可能に接続される、請求項４に記載のケーブル管理装置。
【請求項８】
第１のケーブル管理アームと、
前記第１のケーブル管理アームに対して可動な第２のケーブル管理アームと、
前記第１のケーブル管理アームに対して枢結される第１の部材と、
前記第１の部材から取り外し可能な第１の取り付け部材と、
を含むケーブル管理装置。
【請求項９】
前記第１の取り付け部材の両端に第１の接続部及び第２の接続部が配置され、該第１の接続部は係止機構を有し、該第２の接続部は少なくとも１つの挿入部を有する、請求項８に記載のケーブル管理装置。
【請求項１０】
第１の接続部材、第２の部材、第２の接続部材、第２の取り付け部材、支持部材、取り付けベース及び第３の取り付け部材をさらに含み、
前記第１の接続部材は前記第１の部材に接続され、前記第１の取り付け部材は前記第１の接続部材に取り外し可能に接続され、前記第２の部材は前記第２のケーブル管理アームに対して枢結され、前記第２の接続部材は前記第２の部材に接続され、前記第２の取り付け部材は前記第２の接続部材に取り外し可能に接続され、前記支持部材は前記第１のケーブル管理アーム及び前記第２のケーブル管理アームのうちの一方を支持するように構成され、前記取り付け部材は前記支持部材上に配置され、前記第３の取り付け部材は前記取り付けベースから取り外し可能である、請求項８に記載のケーブル管理装置。
【発明の詳細な説明】
【技術分野】
【０００１】
本発明はケーブル管理装置に関し、より具体的にはスライドレールに適合されるケーブル管理装置に関する。
【背景技術】
【０００２】
一般に、ラックシステム内に配置される電子機器は、スライドレールアセンブリのスライドレールの使用を通じて電子機器をラックの内部からラックの外に引き出すか又はラックの外側からラックの内部に押し込むことができるようにスライドレールアセンブリを用いてラックに取り付けられる。電子機器はケーブルを備えるため、ケーブル管理アームアセンブリを用いてケーブルを支持する必要がある。
【０００３】
特許文献１において教示されているように、ケーブル管理アームアセンブリは、スライドレールと共に伸長できるようにスライドレールアセンブリの後端に取り付けられるように設計されている。特許文献１の図１に示すように、フレーム１は前側アーム１１、後ろ側アーム１２及び支持レール２を含む。前側アーム１１及び後ろ側アーム１２は旋回軸１３を用いることによって接続され、前側アーム１１及び後ろ側アーム１２は、スライドレールアセンブリの内側レールＣ及び外側レールＡに挿入ソケット７及びコネクタ５を通じてそれぞれ接続されている。支持レール２は前側アーム１１及び後ろ側アーム１２を支持するように構成されている。さらに、特許文献２には、ケーブル管理アームアセンブリとスライドアセンブリとの間で適合される接続装置が開示されている。ケーブル管理アーム１０とスライドアセンブリ１２との間に配置される接続装置の技術は特許文献２に開示されている。これらの２つの特許文献は、参照により本願に組み込まれる。
【先行技術文献】
【特許文献】
【０００４】
【特許文献１】米国特許第７５５４８１９号明細書
【特許文献２】米国特許第８８３３７１５号明細書
【特許文献３】米国特許第９１４４１７４号明細書
【特許文献４】米国特許第９０７２１９０号明細書
【特許文献５】米国特許第８３７９４１０号明細書
【特許文献６】米国特許第７４７３８４６号明細書
【特許文献７】米国特許第６９０２０６９号明細書
【発明の概要】
【発明が解決しようとする課題】
【０００５】
しかしながら、当該技術分野において、ケーブル管理アームアセンブリ又はフレームと物体（例えばスライドレール）との間の接続長さ（connection  length）は通常調節することができない（即ち、接続長さは固定されている）。これは、使用可能なスペースが限られ、一式のケーブルをケーブル管理アームに取り付ける場合に好ましくない状況がもたらされるか又は関連機器のメンテナンス時に不便になることを示唆する。
【０００６】
本発明は長さが調節可能な、連結アセンブリを備えるケーブル管理装置を提供する。
【課題を解決するための手段】
【０００７】
本発明の一態様によれば、連結アセンブリはスライドレールアセンブリ及びケーブル管理装置を含む。スライドレールアセンブリは第１のレール及び第２のレールを含む。第１のレールは第２のレールに対して変位可能である。ケーブル管理装置は第１のケーブル管理アーム、第２のケーブル管理アーム、第１の部材及び第１の接続部材を含む。第２のケーブル管理アームは第１のケーブル管理アームに対して枢結され、第１の部材は第１のケーブル管理アームに対して枢結される。第１の接続部材は伸縮可能に第１の部材に接続される。第２のケーブル管理アームは第２のレールに接続される。第１のケーブル管理アームは第１の接続部材を通じて第１のレールに接続される。
【０００８】
ケーブル管理装置は第１の延長部材（extension  member）をさらに含むことが好ましい。第１の延長部材は第１のケーブル管理アームと第１の部材との間で枢結される。
【０００９】
ケーブル管理装置は第２の部材、第２の接続部材及び第２の延長部材をさらに含むことが好ましい。第２の部材は第２のケーブル管理アームに対して枢結され、第２の接続部材は第２の部材に伸縮可能に接続される。第２の延長部材は第２のケーブル管理アームと第２の部材との間で枢結され、第２のケーブル管理アームは第２の接続部材を通じて第２のレールに接続される。
【００１０】
ケーブル管理装置は支持部材、取り付けベース及び第３の接続部材をさらに含むことが好ましい。支持部材は第１のケーブル管理アーム及び第２のケーブル管理アームのうちの一方を支持するように構成される。取り付けベースは支持部材上に配置され、第３の接続部材は伸縮可能に取り付けベースに接続される。
【００１１】
連結アセンブリは別のスライドレールアセンブリをさらに含むことが好ましい。前記別のスライドレールアセンブリは第３のレール及び第４のレールを含む。第３のレールは第４のレールに対して変位可能であり、第３の接続部材は第４のレールに接続される。
【００１２】
本発明の別の態様によれば、ケーブル管理装置は第１のケーブル管理アーム、第２のケーブル管理アーム、第１の部材及び第１の接続部材を含む。第２のケーブル管理アームは第１のケーブル管理アームに対して可動であり、第１の部材は第１のケーブル管理アームに対して枢結され、第１の接続部材は第１の部材に伸縮可能に接続される。
【００１３】
第１のケーブル管理アーム及び第２のケーブル管理アームのうちの一方はケーブル保持部を有することが好ましい。
【００１４】
本発明の別の態様によれば、ケーブル管理装置は第１のケーブル管理アーム、第２のケーブル管理アーム、第１の部材及び第１の取り付け部材を含む。第２のケーブル管理アームは第１のケーブル管理アームに対して可動であり、第１の部材は第１のケーブル管理アームに対して枢結され、第１の取り付け部材は第１の部材から取り外し可能である。
【００１５】
第１の取り付け部材の両端に第１の接続部及び第２の接続部が配置されることが好ましい。第１の接続部は係止機構を有し、第２の接続部は少なくとも１つの挿入部を有する。
【００１６】
ケーブル管理装置は第１の接続部材をさらに含むことが好ましい。第１の接続部材は第１の部材に接続され、第１の取り付け部材は第１の接続部材に取り外し可能に接続される。
【００１７】
ケーブル管理装置は第２の部材、第２の接続部材及び第２の取り付け部材をさらに含むことが好ましい。第２の部材は第２のケーブル管理アームに対して枢結され、第２の接続部材は第２の部材に接続され、第２の取り付け部材は第２の接続部材に取り外し可能に接続される。
【００１８】
ケーブル管理装置は支持部材、取り付けベース及び第３の取り付け部材をさらに含むことが好ましい。支持部材は第１のケーブル管理アーム及び第２のケーブル管理アームのうちの一方を支持するように構成され、取り付け部材は支持部材上に配置され、第３の取り付け部材は取り付けベースから取り外し可能である。
【００１９】
様々な図面に図示する下記の好ましい実施形態の詳細な説明を読み終えた後、本発明の上記の目的及び他の目的が当業者に間違いなく明らかになる。
【図面の簡単な説明】
【００２０】
【図１】図１は、本発明の第１の実施形態に係るケーブル管理装置を示す分解図である。
【図２】図２は、本発明の第１の実施形態に係る、第１の状態にあるケーブル管理装置を示す概略図である。
【図３】図３は、本発明の第１の実施形態に係る、第２の状態にあるケーブル管理装置を示す概略図である。
【図４】図４は、本発明の第１の実施形態に係る、スライドレールアセンブリのスライドレールを用いることによりラックから引き出された電子機器を示す図である。
【図５】図５は、本発明の第１の実施形態に係る、スライドレールアセンブリのスライドレールを用いることによりラック内に押し込まれた電子機器及び第１の状態にあるケーブル管理装置を示す図である。
【図６】図６は、本発明の第１の実施形態に係る、スライドレールアセンブリのスライドレールを用いることによりラック内に押し込まれた電子機器及び第２の状態にあるケーブル管理装置を示す図である。
【図７】図７は、本発明の第２の実施形態に係るケーブル管理装置及びスライドレールアセンブリを示す分解図である。
【図８】図８は、本発明の第２の実施形態に係る、ラックで電子機器と共に組み立てられたケーブル管理装置及びスライドレールアセンブリを示す図である。
【発明を実施するための形態】
【００２１】
図１及び図２に示すように、本発明の第１の実施形態に係るケーブル管理装置２０は第１のケーブル管理アーム２２、第２のケーブル管理アーム２４、第１の部材２６及び第１の接続部材２８を含む。
【００２２】
第１のケーブル管理アーム２２は第１の端部２２ａと、第１の端部２２ａから離れた第２の端部２２ｂとを含む。
【００２３】
第２のケーブル管理アーム２４は第１のケーブル管理アーム２２に対して可動であり、第２のケーブル管理アーム２４は第１の端部２４ａと、第１の端部２４ａから離れた第２の端部２４ｂとを含む。実際の用途では、第２のケーブル管理アーム２４は第１のケーブル管理アーム２２に対して枢結される。例えば、第２のケーブル管理アーム２４は第１のケーブル管理アーム２２の第２の端部２２ｂに枢結されるとともに隣接する。さらに、第２のケーブル管理アーム２４の第２の端部２４ｂ及び第１のケーブル管理アーム２２の第２の端部２２ｂは互いに対して枢結されている。２つのシャフト３２ａ及び３２ｂを通じて第２のケーブル管理アーム２４の第２の端部２４ｂ及び第１のケーブル管理アーム２２の第２の端部２２ｂに枢結された枢動ベース３０を一例として以下で説明する。第１のケーブル管理アーム２２、第２のケーブル管理アーム２４及び枢動ベース３０のうちの１つはケーブル保持部３４を有することが好ましい。第１のケーブル管理アーム２２、第２のケーブル管理アーム２４及び枢動ベース３０の全てがケーブル保持部３４を有する場合を一例として以下で説明する。
【００２４】
第１の部材２６は第１のケーブル管理アーム２２に対して直接又は間接的に枢結されている。第１のケーブル管理アーム２２と第１の部材２６との間に枢結された第１の延長部材３６をさらに含むケーブル管理装置２０を一例として以下で説明する。第１の部材２６は、第１の延長部材３６を通じて第１のケーブル管理アーム２２の第１の端部２２ａに枢結されるとともに第１の端部２２ａに隣接する。
【００２５】
第１の接続部材２８は第１の部材２６に伸縮可能に接続されている。一例として、第１の部材２６は第１の壁３８ａ、第２の壁３８ｂ及び第１の壁３８ａと第２の壁３８ｂとの間に接続される側壁４０を有する。第１の壁３８ａ、第２の壁３８ｂ及び側壁４０は第１の通路Ｃ１を定義し、第１の通路Ｃ１は第１の接続部材２８を収容するように構成されている。第１の接続部材２８は第１の部分４２を有し、第１の部材２６は対応部分４４を含む。第１の部分４２は対応部分４４と協働して第１の接続部材２８が第１の部材２６に対して限られた範囲内で変位できるようにする。一例として、第１の部分４２は突起であり、対応部分４４は２つのストッパを含む。突起は第１の部材２６の側壁４０の一方側に配置され他方側に貫通するとともに、２つのストッパの間で制限される。
【００２６】
ケーブル管理装置２０は第２の部材４６、第２の接続部材４８及び第２の延長部材５０をさらに含むことが好ましい。第２の部材４６は第２のケーブル管理アーム２４に対して直接又は間接的に枢結される。第２のケーブル管理アーム２４と第２の部材４６との間に枢結された第２の延長部材５０を一例として以下で説明する。第２の部材４６は第２の延長部材５０を通じて第２のケーブル管理アーム２４の第１の端部２４ａに枢結されるとともに第１の端部２４ａに隣接する。さらに、第２の接続部材４８は第２の部材４６に伸縮可能に接続されている。一例として、第２の接続部材４８は、第２の部材４６によって定義される第２の通路Ｃ２内に収容され、第２の接続部材４８は第２の部材４６に対して限られた範囲内で変位できる。例えば、第２の接続部材４８は別の第１の部分４９（例えば突起）を有し、第１の部分４９は、第２の部材４６上の別の対応部分５１（例えば２つのストッパ）と協働することにより第２の接続部材４８の動きを制限できる。ここでは、第２の接続部材４８及び第２の部材４６の構造的な構成は第１の接続部材２８及び第１の部材２６のものと実質的に同じであるため、簡略化のために関連する説明は省略する。
【００２７】
ケーブル管理装置２０は支持部材５２、取り付けベース５４及び第３の接続部材５６をさらに含むことが好ましい。支持部材５２は所定の長さを有し、支持部材５２は第１のケーブル管理アーム２２及び第２のケーブル管理アーム２４の底部に可動に配置されるとともに、支持部材５２は第１のケーブル管理アーム２２及び第２のケーブル管理アーム２４のうちの一方を支持するように構成されている。枢動ベース３０の底部に接続された支持部材５２を一例として以下で説明する。他方、取り付けベース５４は支持部材５２上に配置されている。例えば、取り付けベース５４は支持部材５２の端部に可動に接続され（例えば枢動可能に）るとともに、支持部材５２の端部に隣接する。取り付けベース５４、第１の部材２６及び第２の部材４６の全ては枢動可能であるため、３つの部材の全てを同じ方向に向けることができる。第３の接続部材５６は取り付けベース５４に伸縮可能に接続できる。即ち、第３の接続部材５６は取り付けベース５４によって定義される第３の通路Ｃ３内に収容され、第３の接続部材５６は取り付けベース５４に対して限られた範囲内で変位可能である。ここでは、第３の接続部材５６及び取り付けベース５４の構造的な構成は第１の接続部材２８及び第１の部材２６のものと実質的に同じである（又は第２の接続部材４８及び第２の部材４６のものと実質的に同じである）ため、簡略化のために関連する説明は省略する。
【００２８】
図２に示すように、第１の接続部材２８は第１の部材２６に対して第１の位置Ｐ１１に位置することができ、第２の接続部材４８は第２の部材４６に対して第１の位置Ｐ２１に位置することができ、第３の接続部材５６は取り付けベース５４に対して第１の位置Ｐ３１に位置することができる。
【００２９】
図３に示すように、第１の接続部材２８は第１の部材２６に対して前述した第１の位置Ｐ１１から第２の位置Ｐ１２に変位することができ、第２の接続部材４８は第２の部材４６に対して前述した第１の位置Ｐ２１から第２の位置Ｐ２２に変位することができ、第３の接続部材５６は取り付けベース５４に対して前述した第１の位置Ｐ３１から第２の位置Ｐ３２に変位することができる。
【００３０】
図４に示すように、ラックシステムはケーブル管理装置２０、第１のスライドレールアセンブリ５８（即ち、スライドレールアセンブリ）及び第２のスライドレールアセンブリ６０（即ち、別のスライドレールアセンブリ）を含む。ここでは、ケーブル管理装置２０及びスライドレールアセンブリ５８は連結アセンブリを構成する。
【００３１】
第１のスライドレールアセンブリ５８は第１のレール６２及び第２のレール６４を含む。第２のレール６４はラック６５の第１のラックポスト６５ａ及び第２のラックポスト６５ｂに固定され、第１のレール６２は第２のレール６４に対して変位可能である。第１のスライドレールアセンブリ５８は、第１のレール６２と第２のレール６４との間で可動に取り付けられるともに第２のレール６４に対する第１のレール６２の移動を増やすように構成された中間レール６６をさらに含む。同様に、第２のスライドレールアセンブリ６０は第３のレール６８及び第４のレール７０を含む。第４のレール７０はラック６５の別の第１のラックポスト６５ａ及び別の第２のラックポスト６５ｂに固定され、第３のレール６８は第４のレール７０に対して変位可能である。
【００３２】
ケーブル管理装置２０の第１のケーブル管理アーム２２は、第１の接続部材２８を通じて第１のスライドレールアセンブリ５８の第１のレール６２に接続されている（例えば、第１のレール６２の後端に接続されている）。第２のケーブル管理アーム２４は第１のスライドレールアセンブリ５８の第２のレール６４に接続されている。ここでは、第２のケーブル管理アーム２４は、第２の接続部材４８を通じて第１のスライドレールアセンブリ５８の第２のレール６４に接続されている（例えば、第２のレール６４の後端に接続されている）。さらに、支持部材５２上の第３の接続部材５６は、第２のスライドレールアセンブリ６０の第４のレール７０に接続されるように構成されている（例えば、第４のレール７０の後端に接続されるように）。
【００３３】
ここでは、電子機器７２は第１のスライドレールアセンブリ５８と第２のスライドレールアセンブリ６０との間に取り付けられ、電子機器７２はラック６５の内部から外側に第１の方向Ｄ１の方に第１のレール６２及び第３のレール６８を通じて引き出すことができる。第１のスライドレールアセンブリ５８の第１のレール６２（又は電子機器７２）に対応して、第１のケーブル管理アーム２２はラック６５の外側から第１の方向Ｄ１の方に変位して第２のケーブル管理アーム２４に対して伸長される。ケーブル保持部３４は電子機器７２の後ろのケーブルを収容するように構成されている。ここで言及するケーブル保持部３４は当業者にとって自明なものであるため、簡略化のために関連する説明は省略する。さらに、支持部材５２は第１のケーブル管理アーム２２又は第２のケーブル管理アーム２４を支持するように構成されている。
【００３４】
図５に示すように、電子機器７２は前述のラック６５の外側から内部に第２の方向Ｄ２に沿って押し込むことができる。ここでは、第１のケーブル管理アーム２２は、第１のスライドレールアセンブリ５８の第１のレール６２（又は電子機器７２）の第２の方向Ｄ２に沿った変位に対応して第２のケーブル管理アーム２４に対して引っ込められている。さらに、支持部材５２は第１のケーブル管理アーム２２又は第２のケーブル管理アーム２４を支持するように構成されている。
【００３５】
加えて、第１のケーブル管理アーム２２は第２のケーブル管理アーム２４に対して引っ込められた状態にある。第１の接続部材２８が第１の部材２６に対して第１の位置Ｐ１１に位置する場合、第２の接続部材４８は第２の部材４６に対して第１の位置Ｐ２１に位置し及び／又は第３の接続部材５６は取り付けベース５４に対して第１の位置Ｐ３１に位置し、電子機器７２の後ろ側とケーブル管理装置２０（の第１のケーブル管理アーム２２）との間に第１の空間Ｓ１が定義される。なお、第１の空間Ｓ１は、電子機器７２の後ろのケーブルを収納するには小さすぎることが時折あるか又は第１の空間Ｓ１は、オペレータが電子機器７２の後ろでケーブルの配置を行うには小さすぎることが時折ある。
【００３６】
図６に示すように、第１のケーブル管理アーム２２は第２のケーブル管理アーム２４に対して引っ込められた状態にある。第１の接続部材２８が第１の部材２６に対して第２の位置Ｐ１２に位置する状態で、第２の部材４６に対して第２の位置Ｐ２２に位置する第２の接続部材４８及び／又は取り付けベース５４に対して第２の位置Ｐ３２に位置する第３の接続部材５６はケーブル管理装置２０の接続長さを増やすことができる。即ち、ケーブル管理装置２０とスライドレールアセンブリ５８及び６０との間の接続長さを増やすことができる。したがって、電子機器７２の後ろ側とケーブル管理装置２０（の第１のケーブル管理アーム２２）との間に第２の空間Ｓ２が定義され、第２の空間Ｓ２は前述した第１の空間Ｓ１よりも大きい。したがって、第２の空間Ｓ２は、オペレータが電子機器７２の後ろの空間を利用するのを促進する（例えば、オペレータがケーブルを配置するのを実行するのを促進する）。
【００３７】
図７及び図８に示すように、本発明の第２の実施形態に係るケーブル管理装置２００は第１のスライドレールアセンブリ５８及び第２のスライドレールアセンブリ６０において実施可能である。空間を調節するために伸縮可能な変位を行って空間の調節を行うために第１の接続部材２８、第２の接続部材４８又は第３の接続部材５６を用いる第１の実施形態のケーブル管理装置２０とは異なり、第２の実施形態のケーブル管理装置２００は取り外し可能な取り付け部材を用いることによりスペースの問題を改善する。
【００３８】
実際の用途では、ケーブル管理装置２００は第１のケーブル管理アーム２０２、第２のケーブル管理アーム２０４、第１の部材２０６及び第１の取り付け部材２０８を含む。
【００３９】
第２のケーブル管理アーム２０４は第１のケーブル管理アーム２０２に対して可動である。ここでは、第２のケーブル管理アーム２０４は第１のケーブル管理アーム２０２に対して、例えば第２のケーブル管理アーム２０４及び第１のケーブル管理アーム２０２の端部が互いに枢結され、第２のケーブル管理アーム２０４は第１のスライドレールアセンブリ５８の第２のレール６４に接続されている。
【００４０】
第１の部材２０６は第１のケーブル管理アーム２０２に対して直接又は間接的に枢結される。第１の取り付け部材２０８は第１の部材２０６に対して取り外し可能である。本実施形態では、ケーブル管理装置２００は第１の部材２０６に接続された第１の接続部材２１０をさらに含み、第１の取り付け部材２０８は第１の接続部材２１０に取り外し可能に接続されている。第１の接続部材２１０が省略される代替的な実施形態では、第１の取り付け部材２０８も第１の部材２０６に直接且つ取り外し可能に接続できるが、本発明は係る構成に限定されない。さらに、第１の取り付け部材２０８は第１の部材２０６と第1のレール６２（の後端）との間に取り外し可能に接続される。第１の取り付け部材２０８は第１の所定の長さを有し、第１の取り付け部材２０８は、第１の部材２０６と第１のレール６２との間で定義される接続長さを増やすのに用いられる。ここでは、第1の取り付け部材２０８の構成は、第１のスライドレールアセンブリ５８の第１のレール６２の長手方向に沿って実質的に配置される。さらに、第１の接続部２０９ａ及び第２の接続部２０９ｂは第１の取り付け部材２０８の両端に配置され、第１の接続部２０９ａは係止機構２１１ａを有し、第２の接続部２０９ｂは少なくとも１つの挿入部２１１ｂを有する。そのような構成によれば、スライドレール及びケーブル管理装置に対応部分を配置して第１の取り付け部材２０８と係合させることができるようにできる。一例として、第１の接続部２０９ａのラッチ機構２１１ａは第２の接続部２０９ｂの挿入部２１１ｂに取り外し可能に接続できる。したがって、前述したスライドレール及びケーブル管理装置は、第１の取り付け部材２０８を第１の部材２０６と第１のレール６２との間で係止又は挿入により取り外し可能に接続できるが、本発明は係る構成に限定されない。
【００４１】
ケーブル管理装置２００は第２の部材２１２、第２の接続部材２１４及び第２の取り付け部材２１６をさらに含むことが好ましい。第２の部材２１２は第２のケーブル管理アーム２０４に対して直接又は間接的に枢結されている。第２の取り付け部材２１６は第２の部材２１２に対して取り外し可能である。本実施形態では、第２の接続部材２１４は第２の部材２１２に接続され、第２の取り付け部材２１６は第２の接続部材２１４に取り外し可能に接続されている。第２の接続部材２１４が省略される代替的な実施形態では、第２の取り付け部材２１６も直接且つ取り外し可能に第２の部材２１２に接続されるが、本発明は係る構成に限定されない。さらに、第２の取り付け部材２１６は前述した第１の取り付け部材２０８と同様の構成を有し、第２の取り付け部材２１６は第１の接続部２１７ａ、第２の接続部２１７ｂ、係止機構２１９ａ及び挿入部２１９ｂを有する。したがって、第２の取り付け部材２１６は第２の接続部材２１４と第２のレール６４（の後端）との間に取り外し可能に接続できる。第２の取り付け部材２１６は第２の所定の長さを有し、第２の取り付け部材２１６は第２の部材２１２と第２のレール６４との間で定義される接続長さを増やすのに用いられる。ここでは、第２の取り付け部材２１６の構成は、第１のスライドレールアセンブリ５８の第２のレール６４の長手方向に沿って実質的に配置されている。さらに、第２の取り付け部材２１６は、第２の部材２１２と第２のレール６４との間で係止又は挿入により取り外し可能に接続できるが、本発明は係る構成に限定されない。
【００４２】
ケーブル管理装置２００は支持部材２１８をさらに含むことが好ましく、支持部材２１８は第１のケーブル管理アーム２０２及び第２のケーブル管理アーム２０４のうちの一方を支持するのに用いられる。
【００４３】
ケーブル管理装置２００は取り付けベース２２０及び第３の取り付け部材２２２をさらに含むことが好ましい。取り付けベース２２０は支持部材２１８に配置され、第３の取り付け部材２２２は取り付けベース２２０に対して取り外し可能である。さらに、第３の取り付け部材２２２は前述した第１の取り付け部材２０８及び第２の取り付け部材２１６と同様に構成され、第３の取り付け部材２２２は第１の接続部２２３ａ、第２の接続部２２３ｂ、ラッチ機構２２５ａ及び挿入部２２５ｂを有する。したがって、第３の取り付け部材２２２は取り付けベース２２０と第２のスライドレールアセンブリ６０の第４のレール７０（の後端）との間に取り外し可能に取り付けることができる。第３の取り付け部材２２２は第３の所定の長さを有し、第３の取り付け部材２２２は取り付け部材２２０と第４のレール７０との間で定義される接続長さを増やすのに用いられる。ここでは、第３の取り付け部材２２２の構成は第２のスライドレールアセンブリ６０の第４のレール７０の長手方向に沿って実質的に配置されている。さらに、第３の取り付け部材２２２は取り付けベース２２０と第４のレール７０との間で係止又は挿入により取り外し可能に接続できるが、本発明は係る構成に限定されない。
【００４４】
より大きい第３の空間Ｓ３に調節された電子機器７２とケーブル管理装置２００との間の空間（例えば前述した第１の空間Ｓ１）が望ましい場合、ケーブル管理装置２００と電子機器７２との間の空間を第１の部材２０６と第２のレール６４との間で取り外し可能に接続された第１の所定の長さを有する第１の取り付け部材２０８により及び／又は第２の部材２１２と第２のレール６４との間で取り外し可能に接続された第２の所定の長さを有する第２の取り付け部材２１６により及び／又は取り付けベース２２０と第４のレール７０との間で取り外し可能に接続された第３の所定の長さを有する第３の取り付け部材２２２により調節することができる。第３の空間Ｓ３は電子機器７２の後ろの領域でのケーブルの実施を促進する。
【００４５】
本発明に係る前述した実施形態から、本願の連結アセンブリ及びケーブル管理装置は下記の利点を含むことが分かる。ケーブル管理装置２０及び２００は伸縮機構（例えば接続部材２８、３０及び／又は５６は伸縮可能である）及び取り外し可能な接続（例えば、取り付けベース２０８、２１６及び／又は２２２は取り外し可能であり、取り付けベースは必要に応じてオペレータにより挿入できる）を用いて接続長さを変更して限られた使用可能な空間の問題を解消することができる。
【００４６】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００４７】
２０、２００  ケーブル管理装置
２２  第１のケーブル管理アーム
２４  第２のケーブル管理アーム
２６  第１の部材
２８、２１０  第１の接続部材
３０  枢動ベース
３２  シャフト
３４  ケーブル保持部
３６  第１の延長部材
３８  壁
４０  側壁
４２  第１の部分
４４  対応部分
４６  第２の部材
４８、２１４  第２の接続部材
５０  第２の延長部材
５２  支持部材
５４  取り付けベース
５６  第３の接続部材
５８  第１のスライドレールアセンブリ
６０  第２のスライドレールアセンブリ
６２  第１のレール
６４  第２のレール
６６  中間レール
６８  第３のレール
７０  第４のレール
７２  電子機器
【図１】
2019091876.tif 000003
【図２】
2019091876.tif 000004
【図３】
2019091876.tif 000005
【図４】
2019091876.tif 000006
【図５】
2019091876.tif 000007
【図６】
2019091876.tif 000008
【図７】
2019091876.tif 000009
【図８】
2019091876.tif 000010